(57)【特許請求の範囲】
【請求項１】
収納棚前面側の左右の支柱に設けた左右１対の受止具と、左右の端部を前記受止具に係止させることにより、棚板の前部上方に位置し、棚板上の収納物の前方への落下を防止する脱落防止部材とを備える収納棚における脱落防止装置において、左右いずれかの支柱の前面における前記受止具の上方に、受止具に係止された脱落防止部材の端部の上方への移動を阻止するストッパ手段を、脱落防止部材の端部の上方への移動を阻止する阻止位置と、脱落防止部材の端部の上方への移動を許容する解除位置とに移動可能として設けたことを特徴とする収納棚における脱落防止装置。
【請求項２】
ストッパ手段を、下端に脱落防止部材の端部の上方への移動を阻止する阻止片を備え、かつ上端部が支柱の前面に枢着され、前記阻止片がほぼ真下を向く阻止位置と、前記阻止片が側方または上方にはね上げられて、脱落防止部材の端部の上方への移動を許容する解除位置とに回動可能とした請求項１記載の収納棚における脱落防止装置。
【請求項３】
ストッパ手段を、前方を向く突部が受止具に係止された脱落防止部材の端部の後上部に当接することにより、前記脱落防止部材の端部の上方への移動に抵抗力を付与し、前記突部が後方に弾性変形することにより、前記脱落防止部材の端部の上方への移動を許容するようにした弾性部材により形成した請求項１記載の収納棚における脱落防止装置。
【請求項４】
ストッパ手段を、支柱の前面に磁力により吸着することにより、下端で受止具に係止された脱落防止部材の端部の上方への移動を阻止するようにした永久磁石とした請求項１記載の収納棚における脱落防止装置。
【請求項５】
支柱の前面における受止具の上方に、永久磁石の上端に当接して、永久磁石の上方への移動を阻止する磁石受け具を設けた請求項４記載の収納棚における脱落防止装置。
【請求項６】
脱落防止部材を、左右の端部が受止具に係止されるようにした左右方向を向く横杆と、この横杆の左右の両端近傍から垂下する縦杆と、各縦杆の下端より左右外向きに折曲形成された枢軸とを備えるものとし、前記枢軸を、左右の支柱の前面において、上下動可能かつ軸線回りに回動可能として装着し、前記脱落防止部材を、横杆の両端部が受止具にそれぞれ係止された脱落防止位置と、横杆の両端部が受止具から外され、かつ横杆が枢軸より下方に垂れ下がる開放位置とに移動可能とした請求項１〜５のいずれかに記載の収納棚における脱落防止装置。
【発明の詳細な説明】
【０００１】
【発明の属する技術分野】
本発明は、スチール棚等で代表される収納棚における脱落防止装置に関する。
【０００２】
【従来の技術】
図７は、従来の代表的なスチール棚の構成を示す分解斜視図である。
この収納棚は、４本の支柱(１)、複数の棚板(２)、側面板(３)、後面板(４)、連結材(５)等で構成されている。
【０００３】
【発明が解決しようとする課題】
この収納棚においては、図示のように、棚板(２)の前縁に受止板(６)を取り付けることにより、棚板(２)の前面からの収納物の脱落を防止できる。
しかし、固定式の受止板(６)を取り付けた場合、収納物を棚板(２)上に出し入れする際に、この受止板(６)が障害になり、収納作業が著しく不便となる。また、取り外し式の受止板とした場合であっても、取り外した受止板を仮り置きする場所がない場合も多く不便である。
【０００４】
一方、従来より、固定式の受止板に代わる手段として、脱落防止状態と開放状態とに切り替えできるようにした柵を設けたものがある（例えば、実公平２−４６０３号公報参照）。
しかし、この構成では、地震等の大きな振動を受けた場合、柵が跳ね上がって、脱落防止状態から容易に開放状態に切り替えられ、脱落防止機能を発揮できないことがある。
【０００５】
本発明は、従来の技術が有する上記のような問題点に鑑み、地震等の大きな振動を受けた場合でも、脱落防止状態が解除されることがないようにした、構造が簡単な収納棚における脱落防止装置を提供することを目的としている。
【０００６】
【課題を解決するための手段】
本発明によると、上記課題は次のようにして解決される。
(１) 収納棚前面側の左右の支柱に設けた左右１対の受止具と、左右の端部を前記受止具に係止させることにより、棚板の前部上方に位置し、棚板上の収納物の前方への落下を防止する脱落防止部材とを備える収納棚における脱落防止装置において、左右いずれかの支柱の前面における前記受止具の上方に、受止具に係止された脱落防止部材の端部の上方への移動を阻止するストッパ手段を、脱落防止部材の端部の上方への移動を阻止する阻止位置と、脱落防止部材の端部の上方への移動を許容する解除位置とに移動可能として設ける。
【０００７】
(２) 上記(１)項において、ストッパ手段を、下端に脱落防止部材の端部の上方への移動を阻止する阻止片を備え、かつ上端部が支柱の前面に枢着され、前記阻止片がほぼ真下を向く阻止位置と、前記阻止片が側方または上方にはね上げられて、脱落防止部材の端部の上方への移動を許容する解除位置とに回動可能とする。
【０００８】
(３) 上記(１)項において、ストッパ手段を、前方を向く突部が受止具に係止された脱落防止部材の端部の後上部に当接することにより、前記脱落防止部材の端部の上方への移動に抵抗力を付与し、前記突部が後方に弾性変形することにより、前記脱落防止部材の端部の上方への移動を許容するようにした弾性部材により形成する。
【０００９】
(４) 上記(１)項において、ストッパ手段を、支柱の前面に磁力により吸着することにより、下端で受止具に係止された脱落防止部材の端部の上方への移動を阻止するようにした永久磁石とする。
【００１０】
(５) 上記(４)項において、支柱の前面における受止具の上方に、永久磁石の上端に当接して、永久磁石の上方への移動を阻止する磁石受け具を設ける。
【００１１】
(６) 上記(１)〜(５)項のいずれかにおいて、脱落防止部材を、左右の端部が受止具に係止されるようにした左右方向を向く横杆と、この横杆の左右の両端近傍から垂下する縦杆と、各縦杆の下端より左右外向きに折曲形成された枢軸とを備えるものとし、前記枢軸を、左右の支柱の前面において、上下動可能かつ軸線回りに回動可能として装着し、前記脱落防止部材を、横杆の両端部が受止具にそれぞれ係止された脱落防止位置と、横杆の両端部が受止具から外され、かつ横杆が枢軸より下方に垂れ下がる開放位置とに移動可能とする。
【００１２】
【発明の実施の形態】
図１〜図３は、本発明の第１の実施形態を備える収納棚を示す。なお、従来例として説明した図７に示す収納棚のうち、受止板(６)を除く構造は、本発明の第１の実施形態のものと共通しており、それらについては共通の符号を付して図示してある。
【００１３】
各支柱(１)はアングル状をなし、互いに直角をなすその２片の側片(1a)(1a)のそれぞれの中央には、棚板(２)を支持するブラケットまたは支持金具(いずれも図示略)を係止するための多数の方形の係合孔(10)が上下方向に等間隔に並べて穿設されている。
【００１４】
収納棚の前面側の左右の支柱(１)(１)の前面における所望の棚板(２)より上方の位置には、上端部にＬ字状をなして前方に突出する受け部(11)を有し、かつ下端部に後向きコ字状をなす枢軸ガイド部(12)を有する受止具(13)が、その後面中位部に固着した係合孔(11)と補形をなす方形の突部(14)を適宜の係合孔(10)に嵌合し、かつその後方から当て板(15)を支柱(１)の後面に当接させ、突部(14)に前方より貫通させた止めねじ(16)を、当て板(15)に設けたねじ孔(17)に螺合させて締め付けることにより、強固に固着されている。
【００１５】
このようにして受止具(13)を支柱(１)に固着することにより、受止具(13)の枢軸ガイド部(12)と支柱(１)の前面とにより、次に説明する脱落防止部材(19)の枢軸(22)が嵌合される上下方向を向く長孔(18)が形成されている。なお、受止具(13)の下端後部に上向片(図示略)を連設して、受止具(13)自体で完全な長孔(18)を形成するようにしてもよい。
【００１６】
脱落防止部材(19)は、この例では、左右の端部が受止具(13)の受け部(11)に係止されるようにした左右方向を向く横杆(20)と、この横杆(20)の左右の両端近傍から垂下する縦杆(21)と、各縦杆(21)の下端より左右外向きに折曲形成された枢軸(22)とを備え、枢軸(22)を、左右の受止具(13)の下部に形成された長孔(18)に上下動可能かつ枢軸(22)の軸線回りに回動可能として嵌合することにより、図１〜図３に実線で示すように、横杆(20)の左右の端部が受止具(13)の受け部(11)にそれぞれ係止されて、横杆(20)が棚板(２)の前上方に位置する脱落防止位置と、図３に想像線で示すように、横杆(20)の両端部が受止具(13)の受け部(11)から外され、かつ横杆(20)が枢軸(22)及び棚板(２)の上面より下方に垂れ下がる開放位置とに移動可能となっている。
【００１７】
前側の左右の支柱(１)(１)のいずれか一方または両方(この例では左方の支柱(１)のみ)の前面における受止具(13)の上方には、受け部(11)に係止された脱落防止部材(19)の横杆(20)の左端部の上方への移動を阻止するストッパ(ストッパ手段)(23)の上端部が前後方向を向く軸線回りに回動可能として枢着されている。
【００１８】
より詳しく説明すると、左方の支柱(１)の前面における受止具(13)の上方の適宜の係合孔(10)に、垂直の支持板(24)の後面に固着した方形の突部(25)を嵌合し、支持板(24)の前面に突設した筒軸(26)にストッパ(23)における垂直の基片(23a)の上端部に穿設した軸孔(27)を回転可能として嵌合し、その前方に設けた円形の押え板(28)と、支持板(24)の筒軸(26)から突部(25)までとの中央を貫通させた止めねじ(29)の後端部を、支柱(１)の後面に当接させた当て板(30)に設けたねじ孔(31)に螺合させて締め付けることにより、ストッパ(23)は支柱(１)の前面に枢着されている。
【００１９】
ストッパ(23)は、上述した垂直の基片(23a)と、基片(23a)の下端より前向きに折曲形成され、かつ受け部(11)に係止された脱落防止部材(19)の横杆(20)の左端部の上方への移動を阻止する阻止片(23b)と、基片(23a)の右側縁より前向きに折曲形成された側片(23c)とを備え、常時は、自重により、図１に実線で示すように、阻止片(23b)がほぼ真下を向く阻止位置に位置しているが、側片(23c)等をつまんで、図１に想像線で示すように、阻止片(23b)が側方または上方に位置する解除位置まで回動させることにより、脱落防止部材(19)の横杆(20)の左端部の上方への移動を許容し得るようになっている。
【００２０】
したがって、常時は、ストッパ(23)が阻止位置に位置しているので、地震等の振動により、脱落防止部材(19)の横杆(20)の左端部が跳ね上がろうとしても、その上方への移動が阻止片(23b)により阻止され、横杆(20)の左端部が受け部(11)から外れることはない。
【００２１】
脱落防止部材(19)を開放位置に移動したい場合は、まず、ストッパ(23)を解除位置まで回動させた後、脱落防止部材(19)を持ち上げて、横杆(20)を手前に引き、受止具(13)の受け部(11)の上端を前方に乗り越えさせ、その後は、脱落防止部材(19)を自重に任せて枢軸(22)を中心として前下方に回動させればよい。
【００２２】
なお、ストッパ(23)を、その阻止位置と解除位置とにおいて、妄りに他の位置に移動しないように弾圧保持する公知の弾圧保持手段や、ストッパ(23)を、それが阻止位置から予め定めた中間位置までの間に位置しているときは、阻止位置側に、また上記中間位置から解除位置までの間に位置しているときは、解除位置側に付勢するようにした、いわゆるクリックスプリング等の公知のばね手段等を設けておくのが好ましい。
特に、左右の支柱(１)(１)にストッパ(23)を設ける場合は、このような弾圧保持手段やばね手段等を設けるのが望ましい。
【００２３】
図４は、本発明の第２の実施形態を備える収納棚の要部を示す。なお、第１の実施形態におけるのと同一の部材には同一の符号を付して図示するに止め、それらについての詳細な説明は省略する(図５及び図６に示す第３の実施形態においても同様とする)。
【００２４】
この実施形態においては、中間部に側面視山形をなして前方に向かって突出する突部(32)を有する上下方向を向く板ばねにより形成された弾性部材(33)をストッパ手段として、その下部を、支柱(１)の前面と受止具(13)との間に挟んで支柱(１)に取り付け、突部(32)が受止具(13)の受け部(11)に係止された脱落防止部材(19)の横杆(20)の左端部の後上部に当接することにより、横杆(20)の左端部の上方への移動に抵抗力を付与し、突部(32)が後方に弾性変形することにより、横杆(20)の左端部の上方への移動を許容するようにしている。
このようにしても、地震等の大きな振動を受けた場合における脱落防止部材(19)の受止具(13)からの脱落を防止することができる。
【００２５】
なお、弾性部材(33)を、例えば側面形が前方に向かって山形に突出するゴム等の弾性体により形成し、これを支柱(１)の前面に止めねじ等をもって直接固定してもよい。
【００２６】
図５及び図６は、本発明の第３の実施形態を備える収納棚の要部を示す。
この実施形態においては、ストッパ手段を、支柱(１)の前面に磁力により吸着することにより、下端で受止具(13)の受け部(11)に係止された脱落防止部材(19)の横杆(20)の左端部の上方への移動を阻止するようにした永久磁石(34)としている。
【００２７】
また、支柱(１)の前面における受止具(13)の上方に、上下の端部に上向きＬ字状及び下向きＬ字状をなして前方に突出する鉤形の受け部(35)(36)を有する磁石受け具(37)を、止めねじ(38)等をもって固着し、図５及び図６に実線で示すように、下方の受け部(36)に永久磁石(34)を係合させることにより、横杆(20)の左端部が上方へ移動しようとするとき、永久磁石(34)がそれとともに上方に移動しないようにし、また、永久磁石(34)の不使用時に、それを図５及び図６に想像線で示すように、下方の受け部(36)に係合させておくことにより、永久磁石(34)が他物に当接して落下したりすることがないようにしている。
【００２８】
このような構成としても、第１及び第２の実施形態におけるのと同様の効果を奏することができる。
【００２９】
【発明の効果】
本発明によると、次のような効果を奏することができる。
（ａ）請求項１の発明によれば、地震等の大きな振動を受けた場合でも、脱落防止部材の跳ね上がりがストッパ手段により阻止され、脱落防止部材が受止具から外れのが防止されるので、地震時等に棚板上の収納物が棚板から落下するのを未然に防止することができ、安全である。
また、ストッパ手段を、阻止位置から解除位置に移動させるだけで、脱落防止部材を受止具から容易に外すことができ、棚板上に収納物を自由に出し入れすることができる。
さらに、構造が簡単で、既存の脱落防止装置にもストッパ手段を設けるだけで、簡単に適用することができる。
【００３０】
（ｂ）請求項２の発明によれば、請求項１の発明の効果に加えて、ストッパ手段を前方から回動させるだけで、阻止位置と解除位置とに容易に切り換えることができ、操作性がよいという効果を奏することができる。
【００３１】
（ｃ）請求項３の発明によれば、請求項１の発明の効果に加えて、ストッパ手段を切替え操作する必要が全くなく、取り扱いが容易であり、脱落防止部材の装脱作業が一層容易になるという効果を奏することができる。
【００３２】
（ｄ）請求項４の発明によれば、請求項１の発明の効果に加えて、ストッパ手段に永久磁石を使用するので、ストッパ手段の装脱作業が容易となるという効果を奏することができる。
【００３３】
（ｅ）請求項５の発明によれば、請求項１及び４の発明の効果に加えて、永久磁石を阻止位置としたときのその上方への移動を磁石受け具によって確実に阻止することができるという効果を奏することができる。
【００３４】
（ｆ）請求項６の発明によれば、請求項１の発明の効果に加えて、脱落防止部材の構造を簡素化することができるとともに、その枢軸の支持と横杆の端部の係止とを単一の受け具で行うことができる等の効果を奏することができる。
【図面の簡単な説明】
【図１】本発明の第１の実施形態を備える収納棚の要部の正面図である。
【図２】同じく、図１のII−II線に沿う縦断側面図である。
【図３】同じく、要部の斜視図である。
【図４】本発明の第２の実施形態を備える収納棚の要部の側面図である。
【図５】本発明の第３の実施形態を備える収納棚の要部の斜視図である。
【図６】同じく、側面図である。
【図７】従来の収納棚の分解斜視図である。
【符号の説明】
(１)支柱
(1a)側片
(２)棚板
(３)側面板
(４)後面板
(５)連結材
(６)受止板
(10)係合孔
(11)受け部
(12)枢軸ガイド部
(13)受止具
(14)突部
(15)当て板
(16)止めねじ
(17)ねじ孔
(18)長孔
(19)脱落防止部材
(20)横杆
(21)縦杆
(22)枢軸
(23)ストッパ(ストッパ手段)
(23a)基片
(23b)阻止片
(23c)側片
(24)支持板
(25)突部
(26)筒軸
(27)軸孔
(28)押え板
(29)止めねじ
(30)当て板
(31)ねじ孔
(32)突部
(33)弾性部材(ストッパ手段)
(34)永久磁石(ストッパ手段)
(35)(36)受け部
(37)磁石受け具
(38)止めねじ
【図１】
0004495869.tif 000002
【図２】
0004495869.tif 000003
【図３】
0004495869.tif 000004
【図４】
0004495869.tif 000005
【図５】
0004495869.tif 000006
【図６】
0004495869.tif 000007
【図７】
0004495869.tif 000008